【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
小型自動体外式除細動器（ＡＥＤ）システムであって、前記システムは、
電子モジュールであって、前記電子モジュールは、
電源と、
前記電源から電荷を発生させ、貯蔵し、分配するための電子回路であって、前記電荷は、突然心停止（ＳＣＡ）患者に印加されるべき少なくとも１つの電気ショックのために好適である、電子回路と、
ガイダンスを前記システムのユーザに提供するためのディスプレイであって、前記ガイダンスは、前記システムを使用することについてのユーザ指示を含む、ディスプレイと、
前記電子回路および前記ディスプレイを制御するための、その上にインストールされたファームウェアを含む、マイクロプロセッサであって、前記ファームウェアは、前記ＡＥＤシステムの場所データを決定するための指示を前記マイクロプロセッサに提供する、マイクロプロセッサと
を含む、電子モジュールと、
前記電子モジュールと電気的に接続された少なくとも２つの心臓パッドと
を備え、
前記少なくとも２つの心臓パッドは、前記電子モジュールからの前記少なくとも１つの電気ショックを前記ＳＣＡ患者に伝達するように、前記ＳＣＡ患者への外部取り付けのために構成され、
前記電源は、家庭用バッテリである、システム。
【請求項２】
前記システムの寸法は、約８インチ×６インチ×３インチ未満である、請求項１に記載のシステム。
【請求項３】
前記家庭用バッテリは、９Ｖバッテリである、請求項１に記載のシステム。
【請求項４】
前記家庭用バッテリは、複数のＣＲ１２３バッテリである、請求項１に記載のシステム。
【請求項５】
前記少なくとも２つの心臓パッドのうちの各１つは、少なくとも１つのセンサを含み、前記少なくとも１つのセンサは、前記ＳＣＡ患者の心調律および身体インピーダンスを測定するために構成され、前記ＳＣＡ患者の上に前記少なくとも２つの心臓パッドが取り付けられている、請求項１に記載のシステム。
【請求項６】
前記ファームウェアは、前記身体インピーダンスに従って前記少なくとも１つの電気ショックの波形特性を自動的に調節するために構成されている、請求項５に記載のシステム。
【請求項７】
前記システムが使用中ではないときに前記電子モジュールおよび前記少なくとも２つの心臓パッドを収納するためのブラケットシステムをさらに備えている、請求項１に記載のシステム。
【請求項８】
前記ブラケットシステムは、１）前記電子モジュールが前記ブラケットシステムから除去されるとき、２）前記電源が事前設定された最小電力閾値を下回るとき、および、３）前記電子モジュールが点検を必要とするときのうちの少なくとも１つを感知するために構成されている、請求項７に記載のシステム。
【請求項９】
前記ブラケットシステムは、視覚アラートを含み、前記視覚アラートは、１）前記電子モジュールが前記ブラケットシステムから除去されること、２）前記電源が事前設定された最小電力閾値を下回ること、および、３）前記電子モジュールが点検を必要とすることのうちの少なくとも１つの条件が満たされるとき、トリガされる、請求項８に記載のシステム。
【請求項１０】
前記ブラケットシステムは、少なくとも１つの外部連絡先と通信するために構成されている、請求項８に記載のシステム。
【請求項１１】
前記ブラケットシステムは、前記電子モジュールが前記ブラケッから除去されると、救急医療サービス（ＥＭＳ）との連絡を自動的に開始する、請求項１０に記載のシステム。
【請求項１２】
前記ブラケットシステムは、前記電源が事前設定された最小電力閾値を下回ると、前記少なくとも１つの外部連絡先に自動的に警告する、請求項１０に記載のシステム。
【請求項１３】
前記ブラケットシステムは、アラートシステムを含み、前記アラートシステムは、前記アラートシステムがアクティブにされると、前記少なくとも１つの外部連絡先に即時に連絡する、請求項１０に記載のシステム。
【請求項１４】
前記電子モジュールをモバイル通信デバイスと接続するためのインターフェースをさらに備え、前記インターフェースは、前記マイクロプロセッサと通信している、請求項１に記載のシステム。
【請求項１５】
前記電子モジュールは、ソフトウェアアプリケーションインストーラをさらに含み、前記ソフトウェアアプリケーションインストーラは、前記モバイル通信デバイスが前記インターフェースを介して前記電子モジュールに接続されると、前記電子モジュールとインターフェースをとるための特殊ソフトウェアを前記モバイル通信デバイス上にインストールするために、自動的にアクティブにされる、請求項１４に記載のシステム。
【請求項１６】
小型自動体外式除細動器（ＡＥＤ）システムであって、前記システムは、
電子モジュールであって、前記電子モジュールは、
電源と、
前記電源から電荷を発生させ、貯蔵し、分配するための電子回路であって、前記電荷は、突然心停止（ＳＣＡ）患者に印加されるべき少なくとも１つの電気ショックのために好適である、電子回路と、
ガイダンスを前記システムのユーザに提供するためのディスプレイであって、前記ガイダンスは、前記システムを使用することについての指示を含む、ディスプレイと、
前記電子回路および前記ディスプレイを制御するための、その上にインストールされたファームウェアを含む、マイクロプロセッサであって、前記マイクロプロセッサは、前記ＡＥＤシステムの使用のための指示を提供する、マイクロプロセッサと
を含む、電子モジュールと、
前記電子モジュールと電気的に接続された少なくとも２つの心臓パッドと
を備え、
前記少なくとも２つの心臓パッドは、前記電子モジュールからの前記少なくとも１つの電気ショックを前記ＳＣＡ患者に伝達するように、前記ＳＣＡ患者への外部取り付けのために構成され、
前記マイクロプロセッサによって提供される前記指示は、
前記電荷を発生させ、貯蔵し、分配するための前記電子回路を動作させるように前記電源のステータスを周期的に決定することを含む、前記ＡＥＤシステムの周期的監視と、
前記ＡＥＤシステムのリアルタイム監視であって、
前記少なくとも１つのセンサから非同期的メッセージおよびＡＥＤ信号のうちの少なくとも１つを受信することと、
前記少なくとも１つのセンサから受信される非同期的メッセージおよびＡＥＤ信号のうちの前記少なくとも１つを分析することと、
非同期的メッセージおよびＡＥＤ信号のうちの前記少なくとも１つに基づいて、前記ディスプレイ上に示されるべきメッセージを決定することと、
前記ディスプレイを介して前記メッセージを表示することと
を含む、リアルタイム監視と、
除細動ショックを印加することであって、
前記少なくとも１つのセンサからの非同期的メッセージおよびＡＥＤ信号のうちの前記少なくとも１つに基づいて、単一および多重ショックプロトコルのうちの１つの印加を決定することと、
前記電荷を分配することと、
前記少なくとも１つのセンサから更新信号を受信することと、
前記更新信号に基づいて、前記単一および前記多重ショックプロトコルのうちの１つの追加印加の必要性を決定することと
を含む、除細動ショックを印加することと、
心肺蘇生法（ＣＰＲ）指導と
を含み、
前記電源は、ＮｉＭＨ、ＮｉＣｄ、リチウムイオン、アルカリ、酸化銀、および銀亜鉛バッテリのうちの少なくとも１つである、システム。
【請求項１７】
前記ＡＥＤシステムの場所データを決定するための前記指示は、前記ＡＥＤシステムのＧＰＳ場所を識別することを含む、請求項１に記載のシステム。
【請求項１８】
前記ＡＥＤシステムの場所データを決定するための前記指示は、前記ＧＰＳ場所をオーディオ合図に翻訳することをさらに含む、請求項１７に記載のシステム。
【請求項１９】
前記マイクロプロセッサに指示を提供する前記ファームウェアは、
前記マイクロプロセッサを動作させるように前記電源の電力ステータスを周期的に決定することと、
前記電荷を発生させ、貯蔵し、分配するための前記電子回路を動作させるように前記電源の電力ステータスを周期的に決定することと
を含む、前記ＡＥＤシステムの周期的監視を提供することを含む、請求項１に記載のシステム。
【請求項２０】
前記マイクロプロセッサに指示を提供する前記ファームウェアは、
受信される非同期的メッセージおよびＡＥＤ信号のうちの前記少なくとも１つを分析することと、
受信される前記非同期的メッセージおよびＡＥＤ信号に基づいて、前記ディスプレイ上に示されるべきメッセージを決定することと、
前記ディスプレイを介して前記決定されたメッセージを表示することと
を含む、請求項１６に記載のシステム。
【手続補正２】
【補正対象書類名】明細書
【補正対象項目名】００１１
【補正方法】変更
【補正の内容】
【００１１】
本発明の実施形態が、ここで、本概要、詳細な説明、ならびに具体的に議論もしくは別様に開示される任意の好ましいおよび／または特定の実施形態の両方と併せて解読されることを意図している、付随する図面を参照して、以降でより完全に説明されるであろう。しかしながら、本発明は、多くの異なる形態で具現化され得、本明細書に記載される実施形態に限定されるものとして解釈されるべきではなく、むしろ、これらの実施形態は、例証のみとして、本開示が徹底的で完全となり、本発明の全範囲を当業者に完全に伝えるであろうように、提供される。
本願明細書は、例えば、以下の項目も提供する。
（項目１）
携帯用自動体外式除細動器（ＡＥＤ）を用いて心臓除細動を実施する方法であって、前記方法は、
電極パッドと通信する制御モジュール上で心臓除細動プログラムを開始することと、
前記電極パッドから患者の心調律を検出することと、
前記制御モジュールをモバイルデバイスに接続することと、
救急サービスとの通話を実行することと、
地理位置情報を収集することと、
可聴スピーカ上で前記救急サービスへの前記通話をチャネリングすることと、
前記心調律が検出されない場合、心肺蘇生法を開始するようにユーザを促すことと、
前記制御モジュール上で心肺蘇生法のための指示を表示することと、
前記患者の心調律を分析し、ショックを受けることができる心調律が検出されると、前記ユーザおよび救急サービスに通知することと、
心肺蘇生法を停止するように前記ユーザに通知することと、
前記患者にショックを与えることと、
正常な脈拍に対して前記患者の心調律を分析することと、
前記正常な脈拍が検出されない場合、心肺蘇生法のための指示を再開することと
を含む、方法。
（項目２）
小型自動体外式除細動器（ＡＥＤ）システムであって、前記システムは、
電子モジュールであって、前記電子モジュールは、
電源と、
前記電源から電荷を発生させ、貯蔵し、分配するための電子回路であって、前記電荷は、突然心停止（ＳＣＡ）患者に印加されるべき少なくとも１つの電気ショックのために好適である、電子回路と、
ガイダンスを前記システムのユーザに提供するためのディスプレイであって、前記ガイダンスは、前記システムを使用することについての指示を含む、ディスプレイと、
前記電子回路および前記ディスプレイを制御するためのファームウェアと
を含む、電子モジュールと、
前記電子モジュールと電気的に接続された少なくとも２つの心臓パッドと
を備え、
前記少なくとも２つの心臓パッドは、前記電子モジュールからの前記少なくとも１つの電気ショックを前記ＳＣＡ患者に伝達するように、前記ＳＣＡ患者への外部取り付けのために構成され、
前記電源は、家庭用バッテリである、システム。
（項目３）
前記システムの寸法は、約８インチ×６インチ×３インチ未満である、項目２に記載のシステム。
（項目４）
前記家庭用バッテリは、９Ｖバッテリである、項目２に記載のシステム。
（項目５）
前記家庭用バッテリは、複数のＣＲ１２３バッテリである、項目２に記載のシステム。
（項目６）
前記少なくとも２つの心臓パッドのうちの各１つは、少なくとも１つのセンサを含み、前記少なくとも１つのセンサは、前記ＳＣＡ患者の患者心調律および身体インピーダンスを測定するために構成され、前記ＳＣＡ患者の上に前記少なくとも２つの心臓パッドが取り付けられている、項目２に記載のシステム。
（項目７）
前記ファームウェアは、前記身体インピーダンスに従って前記電気ショックの波形特性を自動的に調節するために構成されている、項目６に記載のシステム。
（項目８）
前記ファームウェアは、ＡＥＤ動作のための米国心臓協会の現在の最良実践ガイダンスに従って前記患者心調律を分析し、適宜、ガイダンスを前記ユーザに提供するために構成されている、項目７に記載のシステム。
（項目９）
前記システムが使用中ではないときに前記電子モジュールおよび前記少なくとも２つの心臓パッドを収納するためのブラケットをさらに備えている、項目２に記載のシステム。
（項目１０）
前記ブラケットは、１）前記電子モジュールが前記ブラケットから除去されるとき、２）前記電源が事前設定された最小電力閾値を下回るとき、および、３）前記システムが点検を必要とするときのうちの少なくとも１つを感知するために構成されている、項目９に記載のシステム。
（項目１１）
前記ブラケットは、視覚アラートを含み、前記視覚アラートは、１）前記電子モジュールが前記ブラケットから除去されること、２）前記電源が事前設定された最小電力閾値を下回ること、および、３）前記電子モジュールが点検を必要とすることのうちの少なくとも１つの条件が満たされるとき、トリガされる、項目１０に記載のシステム。
（項目１２）
前記ブラケットは、少なくとも１つの外部連絡先と通信するために構成されている、項目１０に記載のシステム。
（項目１３）
前記ブラケットは、前記電子モジュールが前記ブラケッから除去されると、救急医療サービス（ＥＭＳ）との連絡を自動的に開始する、項目１２に記載のシステム。
（項目１４）
前記ブラケットは、前記電源が事前設定された最小電力閾値を下回ると、前記少なくとも１つの外部連絡先に自動的に警告する、項目１２に記載のシステム。
（項目１５）
前記ブラケットは、アラートシステムを含み、前記アラートシステムは、前記アラートシステムがアクティブにされると、前記少なくとも１つの外部連絡先に即時に連絡する、項目１２に記載のシステム。
（項目１６）
前記電子モジュールをモバイル通信デバイスと接続するためのインターフェースをさらに備えている、項目２に記載のシステム。
（項目１７）
さらに、前記電子モジュールは、ソフトウェアアプリケーションインストーラをさらに含み、前記ソフトウェアアプリケーションインストーラは、前記モバイル通信デバイスが前記インターフェースを介して前記電子モジュールに接続されると、前記電子モジュールとインターフェースをとるための特殊ソフトウェアを前記モバイル通信デバイス上にインストールするために、自動的にアクティブにされる、項目１６に記載のシステム。
（項目１８）
小型自動体外式除細動器（ＡＥＤ）システムを使用する方法であって、前記システムは、ブラケットの中に収納された電子モジュールと少なくとも２つの心臓パッドとを含み、
前記方法は、
前記ブラケットから前記システムを除去することによって、前記システムを初期化することと、
救急医療サービス（ＥＭＳ）に連絡することと、
突然心停止（ＳＣＡ）患者上に前記心臓パッドを取り付けることと、
前記心臓パッドの中に含まれるセンサを使用して、前記ＳＣＡ患者の少なくとも患者心調律および身体インピーダンスを測定することと、
前記電子モジュールからのガイダンスによってそのように示される場合、前記ＳＣＡ患者にＡＥＤ投与プロトコルを実施することと、
前記ＳＣＡ患者の前記患者心調律を監視し続け、ＥＭＳ人員の到着まで前記電子モジュールからの追加のガイダンスに従うことと
を含む、方法。
（項目１９）
前記ブラケットは、アラートシステムを含み、前記アラートシステムは、前記アラートシステムがアクティブにされると、前記少なくとも１つの外部連絡先に即時に連絡し、
ＥＭＳに連絡することは、前記アラートシステムをアクティブにすることを含む、項目１８に記載の方法。
（項目２０）
ＥＭＳに連絡することは、
１）有線接続および２）無線接続のうちの１つを介して、モバイル通信デバイスを前記システムに接続することと、
前記電子モジュールに含まれるソフトウェアアプリケーションインストーラをアクティブにすることと、
前記電子モジュールとインターフェースをとるための特殊ソフトウェアを前記モバイル通信デバイス上にインストールすることと、
前記モバイル通信デバイス上の通信プロトコルを使用して、ＥＭＳとの通話を開始することと
を含む、項目１８に記載の方法。